(57)【要約】【課題】加熱された鉄板の上で使用しても取っ手部が熱くなることを確実に防ぐことができるお好み焼き用ヘラを提供する。【解決手段】お好み焼き用ヘラ１は、薄板状のヘラ部２と、ヘラ部２から細長く延びる取っ手部３とを有し、上記取っ手部３は、セラミック製の棒状体３１で形成されている。取っ手部３を形成するセラミックは、断熱性に優れているので、お好み焼き用ヘラ１を加熱された鉄板の上で使用しても取っ手部３が熱くなることを確実に防ぐことができる。【選択図】図１
0003200969.tif 000002
【実用新案登録請求の範囲】
【請求項１】
薄板状のヘラ部と、ヘラ部から細長く延びる取っ手部とを有し、
上記取っ手部は、セラミック製の棒状体で形成されている、お好み焼き用ヘラ。
【請求項２】
請求項１に記載のお好み焼き用ヘラにおいて、
上記ヘラ部は、後端部を表面側に曲げて傾斜する舌片とし、
上記舌片の背面には、取っ手部側に臨むネジ穴を有する取付座部が設けられ、
上記取っ手部は、長さ方向に貫通してネジ棒部材を挿通する貫通孔が設けられ、
上記ネジ棒部材は、取っ手部の後端に配置される頭部と、取っ手部の貫通孔に挿通可能な太さを有してネジ溝を先端部に形成するロッド部とを有し、
上記ネジ棒部材のロッド部が上記取っ手部の貫通孔に挿通されて当該取っ手部の先端から露出するロッド部先端部のネジ溝が上記ヘラ部に設ける取付座部のネジ穴に螺合された状態となって上記取っ手部と上記ヘラ部とが接続されている構成とする、お好み焼き用ヘラ。
【請求項３】
請求項１又は２に記載のお好み焼き用ヘラにおいて、
上記取っ手部は、後端部がＲ状に形成され、後端部の最大外径部から先端側に向かうに従って縮径されている構成とする、お好み焼き用ヘラ。
【考案の詳細な説明】
【技術分野】
【０００１】
本考案は、主にお好み焼きを調理したり食したりする際に使用されるお好み焼き用ヘラに関するものであり、もんじゃ焼き等にも利用可能なものである。
【背景技術】
【０００２】
お好み焼き用ヘラは、一般的には、ステンレス板から形成され、略台形状の薄板からなる偏平なヘラ部と、ヘラ部の後端に一体となって後方へ細長く延びる取っ手部とを備えたものである（特許文献１、特許文献２）。お好み焼き用ヘラは、鉄板やホットプレート等で調理する際にお好み焼きを成形したり裏返したりするために使用される他、焼き上がったお好み焼きを鉄板上で切り分けてヘラ部に載せて口まで運んで食べる際にも使用される。
【先行技術文献】
【特許文献】
【０００３】
【特許文献１】実用新案登録第３１５７９２２号公報
【特許文献２】実用新案登録第３１７３９４３号公報
【考案の概要】
【考案が解決しようとする課題】
【０００４】
このような、お好み焼き用ヘラは、お好み焼きの焼き上げ中や飲食中には、ヘラ部を鉄板側に向けて鉄板の端に置きっぱなしにされることが多く、すべてが金属製であるために鉄板の熱で加熱されて取っ手部が手で持てないくらい熱くなることがある。
【０００５】
特許文献２に記載のお好み焼き用ヘラは、ヘラ部付近の取っ手部の部分に突起を形成し、この突起を下向きにして鉄板の端に置いてもヘラ部が鉄板から離されて鉄板の熱で加熱されないようにしたものである。しかし、この突起付きのお好み焼き用ヘラでは、突起が障害となってお好み焼きを裏返し難くなり、また、知らないうちに突起が鉄板に接触して突起から鉄板の熱が伝わって取っ手部が熱くなってしまう場合等があり、さらに、見栄えもよいものではない。
【０００６】
本考案は、加熱された鉄板等の上で使用しても取っ手部が熱くなることを確実に防ぐことができる、お好み焼き用ヘラを提供することを目的とする。
【課題を解決するための手段】
【０００７】
本考案に係るお好み焼き用ヘラは、薄板状のヘラ部と、ヘラ部から細長く延びる取っ手部とを有し、上記取っ手部は、セラミック製の棒状体で形成されている。
これにより、セラミックは、断熱性に優れているので、本お好み焼き用ヘラを加熱された鉄板等の上で使用しても取っ手部が熱くなることを確実に防ぐことができる。
【０００８】
上記ヘラ部は、後端部を表面側に曲げて傾斜する舌片とし、
上記舌片の背面には、取っ手部側に臨むネジ穴を有する取付座部が設けられ、
上記取っ手部は、長さ方向に貫通してネジ棒部材を挿通する貫通孔が設けられ、
上記ネジ棒部材は、取っ手部の後端に配置される頭部と、取っ手部の貫通孔に挿通可能な太さを有してネジ溝を先端部に形成するロッド部とを有し、
上記ネジ棒部材のロッド部が上記取っ手部の貫通孔に挿通されて当該取っ手部の先端から露出するロッド部先端部のネジ溝が上記ヘラ部に設ける取付座部のネジ穴に螺合された状態となって上記取っ手部と上記ヘラ部とが接続されている構成とすることが望ましい。
これにより、ヘラ部にセラミック製の取っ手部を簡単且つ容易に、しかも強固に固定することができる。
【０００９】
上記取っ手部は、後端部がＲ状に形成され、後端部の最大外径部から先端側に向かうに従って縮径されている構成とすることが望ましい。
これにより、取っ手部の後方寄りの太い部分を握ってヘラ部に大きな力を加え易く、鉄板上等のお好み焼きを裏返したり切り分けたりするのが容易となり、一方、取っ手部の前方寄りの細い部分を握ってヘラ部を細かく操作し易く、切り分けたお好み焼きをヘラ部上にすくい取って口元への移動を容易にすることができる。また、デザイン的にも鮮麗された見栄えのよいものとなる。
【考案の効果】
【００１０】
本考案に係るお好み焼き用ヘラによれば、取っ手部は、セラミック製の棒状体で形成されているので、セラミックが断熱性に優れているから、本お好み焼き用ヘラを加熱された鉄板の上で使用しても取っ手部が熱くなることを確実に防ぐことができる。また、取っ手部は、棒状体により形成するので、偏平な形状のものや突起を設けたものと比べて、手で持ち易く、手で握ったり持ち替えて指で挟む等の操作も非常に容易となる。
【図面の簡単な説明】
【００１１】
【図１】実施形態によるお好み焼き用ヘラの全体構成を示す正面図である。
【図２】実施形態によるお好み焼き用ヘラの全体構成を示す側面図である。
【図３】実施形態によるお好み焼き用ヘラの構成部品を示す分解正面図である。
【考案を実施するための形態】
【００１２】
以下に、本考案の実施形態について添付図面を参照しながら説明する。
図１、図２、図３に示すように、実施形態のお好み焼き用ヘラ１は、お好み焼きを調理し食する際に使用されるが、もんじゃ焼き等にも利用可能なものであり、構成として、薄板状のヘラ部２と、ヘラ部２から細長く延びる取っ手部３とを備えている。なお、本明細書における方向、位置として、お好み焼き用ヘラ１において、ヘラ部２を設ける側を「前（又は先）」とし、取っ手部３を設ける側を「後」とする。また、図１に示す側を「表」とする。
【００１３】
ヘラ部２は、全体がステンレス鋼板の薄板から形成されており、先端に向かうに従って幅広に形成された略台形状を有する（図１参照）。ヘラ部２の先端は、取っ手部３の長さ方向と略直交する方向へ延びて形成されており、この先端の表面を傾斜面２２としている。このヘラ部２先端の傾斜面２２がスクレーパ的に作用することにより、ヘラ部２の先端で鉄板上のお好み焼きを切り分け易くし、また、すくい取り易くしている。
【００１４】
ヘラ部２の後端部は、表面側に曲げて傾斜する略逆Ｕ字状の舌片２１となっている（図２参照）。舌片２１の背面には、取っ手部３を取り付けるための取付座部４が溶接等により接合されている。この取付座部４は、後方へ向かうにつれて拡径したラッパ状に形成され、中心部には後方の取っ手部３側に臨むネジ穴４１（図３参照）が設けられている。取付座部４の後端部は、全周的に丸く隆起する段部４ａが設けられている。この段部４ａによって取っ手部３の先端付近を指で摘まんだ時の滑り止めとなり、また、装飾効果も発揮される。
【００１５】
取っ手部３は、セラミック製の棒状体３１で形成されている。この棒状体３１は、断面円形の丸棒に形成されているが、断面形状が楕円形、四角形等の多角形に形成されてもよい。取っ手部３を形成する棒状体３１がセラミック製であり、セラミックは、断熱性に優れているので、本お好み焼き用ヘラ１を加熱された鉄板の上で使用しても取っ手部３が熱くなることを確実に防ぐことができる。
【００１６】
取っ手部３は、後端部がＲ状に形成され、後端部の最大外径部から先端側に向かうにつれて縮径されている。これにより、取っ手部３の後方寄りの太い部分を握ってヘラ部２に大きな力を加え易く、鉄板上のお好み焼きを裏返したり切り分けたりするのが容易となり、一方、取っ手部３の前方寄りの細い部分を握ってヘラ部２を細かく操作し易く、切り分けたお好み焼きをヘラ部２上にすくい取って口元への移動を容易にすることができる。また、デザイン的にも鮮麗された見栄えのよいものとなる。
【００１７】
取っ手部３となる棒状体３１には、長さ方向に貫通してネジ棒部材５を挿通する貫通孔３２が設けられている（図３参照）。ネジ棒部材５は、全体が鉄等の金属製から形成されており、取っ手部３の後端に配置される頭部５１と、取っ手部３の貫通孔３２に挿通可能な太さを有してネジ溝５２ａを先端部に形成するロッド部５２とを有している。頭部５１とロッド部５２は、ネジ止め、溶接等で結合されてもよいし、一体的に形成されたものでもよい。
【００１８】
ネジ棒部材５の頭部５１は、全周的に丸く隆起する段部５１ａとなっており、ネジ棒部材５を取っ手部３の貫通孔３２に挿通したときに取っ手部３の後端に当たり止めとなり、また、段部５１ａによる装飾効果も発揮される。
【００１９】
ロッド部５２は、取っ手部３の貫通孔３２の孔径よりも小径の細長い丸棒で形成されており、ロッド部５２の長さは、取っ手部３の長さよりも長く形成されている。ロッド部５２先端部のネジ溝５２ａは、少なくともロッド部５２の先端から一定長さ範囲に形成されていればよいが、ロッド部５２全体にネジ溝５２ａが形成されてもよい。すなわち、ネジ溝５２ａは、ロッド部５２を取っ手部３後端の貫通孔３２から挿通して頭部５１が取っ手部３後端に配置される状態において、取っ手部３先端からロッド部５２先端部のネジ溝５２ａの一部が露出する長さを有していればよい。このとき、取っ手部３先端から露出するロッド部５２のネジ溝５２ａは、ヘラ部２に設ける取付座部４のネジ穴４１にすべてがねじ込まれる長さを有している。
【００２０】
そして、ネジ棒部材５のロッド部５２が取っ手部３の後端から貫通孔３２に挿通されて取っ手部３の先端から露出するロッド部５２先端部のネジ溝５２ａがヘラ部２に設ける取付座部４のネジ穴４１に螺合された状態となって、ネジ棒部材５の頭部５１と取付座部４との間に取っ手部３が締め付けられることにより、取っ手部３とヘラ部２とが接続される。このようにして、ヘラ部２にセラミック製の取っ手部３が簡単且つ容易に、しかも強固に固定される。
【００２１】
以上のように、実施形態のお好み焼き用ヘラ１によれば、お好み焼きの焼き上げ中や飲食中にヘラ部２を鉄板側に向けて鉄板の端に置きっぱなしにされても、取っ手部３が断熱性に優れるセラミックで形成されているので、ヘラ部２からの熱は断熱されて取っ手部３が加熱されることを確実に防ぐことができる。従って、お好み焼き用ヘラ１を鉄板上に置いた状態にしても、次にこのお好み焼き用ヘラ１を使用する際に取っ手部３を手で持っても熱く不快感を与えることがなく、直ちに使用することができる。
【００２２】
また、取っ手部３は、棒状体３１により形成するので、従来（特許文献１、２）のような偏平な形状のものや突起を設けたものと比べ、お好み焼きの調理や切り分け、また、切り分けたお好み焼きをヘラ部２に載せて食する等の際にも手で持ち易く、手で握ったり持ち替えて指で挟む等の操作も非常に容易となる。
【００２３】
なお、本考案は、上記実施形態に限定されず、本考案の要旨の範囲内で適宜に変更を施すことが可能である。
【符号の説明】
【００２４】
１  お好み焼き用ヘラ
２  ヘラ部
３  取っ手部
４  取付座部
４ａ  段部
５  ネジ棒部材
２１  舌片
２２  傾斜面
３１  棒状体
３２  貫通孔
４１  ネジ穴
５１  頭部
５１ａ  段部
５２  ロッド部
５２ａ  ネジ溝
【図１】
0003200969.tif 000003
【図２】
0003200969.tif 000004
【図３】
0003200969.tif 000005